(57)【要約】【課題】可動部材の状態切り替えによって、大入賞口の開放継続が行われるか否かというスリルを味わうことができる遊技機を提供すること。【解決手段】主制御部２００は、大入賞口１０６への遊技球の入賞状態にかかわらず、可動片１６１０が第１の状態Ｓ１と第２の状態Ｓ２とを一定間隔で切り替わるようにモータ（電気的駆動源）１５００を駆動制御するので、可動片１６１０の状態切り替えによって、大入賞口１０６の開放継続が行われるか否かというスリルを味わうことができるようになる。【選択図】　図１５
2004008537.tif 000002
【特許請求の範囲】
【請求項１】
大入賞口内部に設けられ第１の状態と第２の状態を取り得る可動部材と、この可動部材の状態切り替えを電気駆動源の駆動制御で行う駆動制御手段と、を備え、前記可動部材が第１の状態の場合に前記大入賞口へ遊技球が入賞されると次回大入賞口の開放を行うように構成された遊技機において、
前記駆動制御手段は、
前記大入賞口への遊技球の入賞状態にかかわらず、前記可動部材が第１の状態と第２の状態とを一定間隔で切り替わるように前記電気的駆動源を駆動制御することを特徴とする遊技機。
【請求項２】
請求項１に記載の遊技機において、
遊技機から排出されるアウト球数の所定時間での総数を求めるアウト球数計数手段を備え、
前記駆動制御手段は更に、
前記アウト球数計数手段による所定時間のアウト球総数が所定値を超えた場合には、前記可動部材が第１の状態となっている期間が第２の状態となっている期間よりも長くなるように前記電気的駆動源を駆動制御することを特徴とする遊技機。
【請求項３】
請求項１および２の内のいずれか一項に記載の遊技機において、
前記可動部材が第１の状態にあるか第２の状態にあるかを通知する通知手段を備えたことを特徴とする遊技機。
【発明の詳細な説明】
【０００１】
【発明の属する技術分野】
本発明は、大入賞口内部に設けられ第１の状態と第２の状態を取り得る可動部材と、この可動部材をいずれかの状態とするための電気駆動源を駆動制御する駆動制御手段と、を備え、前記可動部材が第１の状態の場合に前記大入賞口へ遊技球が入賞されると次回大入賞口の開放を行うように構成された遊技機に関する。
【０００２】
【従来の技術】
従来の遊技機にあっては、大入賞口内部に設けられた可動部材が例えば回動可能になっていて第１の状態と第２の状態とをシーソー状に取り得るように構成されているものがある。この構成においては可動部材が第１の状態となっている場合、特定領域に遊技球が導かれ、大入賞口の次回開放が継続される一方、可動部材が第２の状態となっている場合にはいくら大入賞口に遊技球が入賞しても上記特定領域には遊技球が導かれず大入賞口の次回開放が継続されない、いわゆるパンク状態となってしまう。
【発明が解決しようとする課題】
このため従来の遊技機にあっては、大入賞口の開放時の最初の入賞球が必ず特定領域に導かれるように強制的に可動部材を第１の状態にし、特定領域に遊技球が導かれたことを検出した後に可動部材を第２の状態として遊技球を導くようにしていた。このため、大入賞口への遊技球の入賞状態を考慮して可動部材の状態切り替えを強制的に行うようにしてパンクが防止されるが、大入賞口の開放継続が行われるか否かというスリルを味わうことができないといった問題があった。
【０００３】
また、特開平２−１１１８５号公報や特許第３１６６７５４号公報等によれば、大役中の特定ラウンド中において、強制的に特定領域に遊技球を導き易くしたりその逆に導きにくくしたりする遊技機が開示されているが、このような強制制御を行うことで、可動部材の動きを事前に把握しながら遊技が行われるようになるため、かえって遊技性が乏しくなっていたこともあった。
【０００４】
本発明は、このような従来の課題を解決するためになされたものであり、可動部材の状態切り替えによって、大入賞口の開放継続が行われるか否かというスリルを味わうことができる遊技機を提供することを目的とする。
【０００５】
【課題を解決するための手段】
上記目的を達成するために、本発明は、大入賞口内部に設けられ第１の状態と第２の状態を取り得る可動部材と、この可動部材の状態切り替えを電気駆動源の駆動制御で行う駆動制御手段と、を備え、前記可動部材が第１の状態の場合に前記大入賞口へ遊技球が入賞されると次回大入賞口の開放を行うように構成された遊技機において、
前記駆動制御手段は、
前記大入賞口への遊技球の入賞状態にかかわらず、前記可動部材が第１の状態と第２の状態とを一定間隔で切り替わるように前記電気的駆動源を駆動制御することを特徴とするようにした。
【０００６】
この発明においては、駆動制御手段は、大入賞口への遊技球の入賞状態にかかわらず、可動部材が第１の状態と第２の状態とを一定間隔で切り替わるように電気的駆動源を駆動制御するので、可動部材の状態切り替えによって、大入賞口の開放継続が行われるか否かというスリルを味わうことができるようになる。
【０００７】
また、遊技機から排出されるアウト球数の所定時間での総数を求めるアウト球数計数手段を備え、前記駆動制御手段は更に、前記アウト球数計数手段による所定時間のアウト球総数が所定値を超えた場合には、前記可動部材が第１の状態となっている期間が第２の状態となっている期間よりも長くなるように前記電気的駆動源を駆動制御する構成とすることもできる。
【０００８】
また、前記可動部材が第１の状態にあるか第２の状態にあるかを通知する通知手段を備えた構成とすることは可動部材がいずれの状態であるのかを把握できるため好ましい。
【０００９】
なお、このような動作はコンピュータ読み取り可能な記録媒体にプログラムを記録しておき、ＣＰＵがこの記録媒体に記録したプログラムを読み取って実行することによって実現できる。このような記録媒体としては、ＲＯＭ、半導体ＩＣ等の半導体記録媒体、ＤＶＤＲＯＭ、ＣＤＲＯＭ等の光記録媒体、フレキシブルディスク等の磁気記録媒体、光磁気記録媒体等のデジタルコンテンツの書き込み及び読出しが可能な各種の記録媒体が挙げられる。また、このプログラムを所定の情報処理装置から通信網を介して遊技機にダウンロードしてインストールするようにしても良い。
【００１０】
【発明の実施の形態】
以下、本発明の実施の形態を図面を参照しつつ説明する。先ず遊技機の一般的な構成や動作を説明してから、本発明の特徴部の動作を説明することによって本発明の理解の容易化を図る。
【００１１】
図１は遊技盤１０の模式的な説明図である。遊技盤１０の略中央部には、３つ（左、中、右）の表示エリアを有していて、各表示エリアにおいて、独立して数字やキャラクタによる図柄で構成される識別情報が変動表示可能である特別図柄表示装置１００が配設されており、その真下には特別図柄始動口１０４が配設されていて、この特別図柄始動口１０４の両側には普通図柄作動ゲート１０２、１０２が配設されている。また、一対の開閉部材１２０、１２０が特別図柄始動口１０４を形成するように離間して開閉可能に設けられている。
【００１２】
さらに、特別図柄始動口１０４の下方には、大入賞口１０６、普通図柄表示装置１０８、アウト口１１４がこの順で配設されており、さらに、特別図柄始動口１０４の両斜め上方にはランプ表示装置１１０、１１０が配設されていると共に、遊技盤１０の両側端部近傍にもランプ表示装置（より具体的にはＬＥＤ装置）１１２、１１２が配設されている。
【００１３】
そして、特別図柄始動口１０４に遊技球が入賞されて乱数抽選が行われ、この抽選された乱数が大当り値である時には、各表示エリアにおいて少なくとも１つの識別情報の変動表示が開始されその後、当り有効ライン上に所定表示パターン（例えば「７、７、７」）の表示が特別図柄表示装置１００によって行われ、大入賞口１０６が所定パターンで開閉制御されて遊技者にとって有利な大当り遊技状態（特別遊技状態）となる。
【００１４】
また、普通図柄作動ゲート１０２が遊技球の通過を検出すると、乱数抽選が行われこの抽選された乱数が小当り値である時には、普通図柄表示装置１０８の表示部を所定パターン（例えば「７」や「３」）に表示させ、その後に、開閉部材１２０が開状態となって遊技球が特別図柄始動口１０４に入賞した場合にも、同様に乱数抽選が行われこの抽選された乱数が大当り値である時には、各表示エリアにおける変動表示が開始されその後、当り有効ライン上に所定表示パターン（例えば「７、７、７」）の表示が特別図柄表示装置１００によって行われ、大入賞口１０６が所定パターンで開閉制御されて遊技者にとって有利な大当り状態（特別遊技状態）となる。一方、入賞されない打球はアウト口１１４を介して排出される。
【００１５】
なお、図示しないハンドルを操作することに応じて不図示の発射装置が遊技球を遊技盤１０上に到達させるように構成されていて、遊技球は遊技盤１０上の様々な方向に転動されながら下方向へと流下される。また、不図示の平面視、長方形の部材を回動可能に設けておき、遊技機手前側にこの部材が回動された場合には入賞可能に大入賞口１０６の開口部が出現する反面、元の位置に戻るようにこの部材が回動された場合には大入賞口１０６の開口部が閉止されるような構成として、大入賞口１０６の開閉制御を実現することができる。
【００１６】
図２はこのような遊技の進行状況に応じた遊技動作制御が行われる遊技機の主要部のみを示した制御ブロック図である。遊技動作制御を統括する主制御部２００は、ＣＰＵを内蔵したマイクロプロセッサを搭載している。この主制御部２００は、特別図柄表示装置１００を制御するための各種のコマンド等（後述する）を含む多種多様な制御コマンドを格納するコマンドデータテーブル領域２０２および一連の遊技動作制御手順を記述した制御プログラムや制御データ等の遊技動作制御プログラムを格納するＲＯＭ２０１と、ワークエリアが形成されるＲＡＭ２０３とが設けられていて一体型のワンチップマイコンとなっている。主制御部２００が所定周期（例えば４（ｍｓｅｃ））でこの遊技動作制御プログラムを繰り返して実行することによって遊技動作制御が行われることになり、主制御部２００は遊技動作制御を統括している。
【００１７】
主制御部２００には、入力ポート２１０を介して複数のスイッチ群のそれぞれからの検出信号を受信可能に構成されている。即ち、主制御部２００は、特別図柄始動口１０４内部に設けられ遊技球の特別図柄始動口１０４への入賞を検出する特別図柄始動スイッチ３０４、普通図柄作動ゲート１０２の内部に設けられ遊技球のゲート通過を検出する普通図柄作動スイッチ３０６、および、大入賞口１０６の内部に設けられ遊技球の大入賞口１０６への入賞を検出する大入賞口スイッチ３０８等のスイッチ群が接続され、主制御部２００は各スイッチからの遊技球検出に対応した検出信号を受信可能に構成されている。
【００１８】
また、主制御部２００には、出力ポート２１５を介して複数の周辺装置を制御可能に接続されている。より具体的には、主制御部２００には、特別図柄やキャラクタを表示する表示部を３つ有して夫々を独立して可変表示可能でＬＣＤ等で実現される特別図柄表示装置１００、ランプを点灯制御するランプ表示装置１１０、１１２、効果音を発生する効果音発生装置１１６、例えば７セグメント表示デバイスで実現される普通図柄表示装置１０８、始動口の開閉部材１２０を開閉制御するための始動口作動ソレノイド３００、および、大入賞口１０６の幅広な開閉部材を開閉制御するための大入賞口作動ソレノイド３０２等の周辺装置群が接続され、主制御部２００は各装置を制御するための制御信号を送信可能となっている。
【００１９】
そして、主制御部２００は、特に特別図柄表示装置１００に対しては所定数個の表示制御用のコマンドを所定のタイミングで送信可能となっていて、特別図柄表示装置１００は受け取ったコマンドに基いて、主制御部２００に頼らずに自身内のＣＰＵが細かな表示制御を行うようになっている。さらに主制御部２００から特別図柄表示装置１００へコマンドを送信するのみの一方向通信による通信形態を採っている。
【００２０】
また、主制御部２００には、電源供給を行うための電源回路２１２と所定時間毎にリセット信号を出力するリセット回路２１３とが接続されていて、さらに、リセット回路２１３には、主制御部２００から周期的タイマカウンタによって生成されたパルス信号が入力されると共に、電源回路２１２からの電流供給状況を監視するためのモニタ信号が入力される。
【００２１】
さて、図１２に示すように、主制御部２００から特別図柄表示装置１００に送られる表示制御用のコマンドは、コマンドの分類を識別するための識別子で１バイト長のデジタル情報であるモード（ＭＯＤＥ）と、実行されるコマンドの内容（機能）を示す１バイト長のデジタル情報であるイベント（ＥＶＥＮＴ）とでなっており、図６乃至図９は、主制御部２００側のＲＯＭ２０１のコマンドデータテーブル領域２０２や特別図柄表示装置１００側のプログラムＲＯＭ１０４０にに格納された表示制御用コマンドデータの一部を示している。
【００２２】
図６乃至図９に示すように、表示制御用のコマンドには、「特別図柄を変動させるとともに、変動パターンを指定するためのコマンド（第１のコマンド）」、「特別図柄左の停止図柄を指定するコマンド（第２のコマンド）」、「特別図柄中の停止図柄を指定するコマンド（第２のコマンド）」、「特別図柄右の停止図柄を指定するコマンド（第２のコマンド）」、「特別図柄を停止させるためのコマンド（第３のコマンド）」がある。なお、第１のコマンドは図柄をどのようなパターンで変動表示させるか、キャラクタ画像をどのようなパターンで表示演出させるか等を定める変動パターンを指定する情報を含んだコマンドとなっている。主制御部２００は、図柄変動表示を開始させるような遊技状況となったときこれらの５つのコマンドを１回の変動表示制御における所定のタイミングで特別図柄表示装置１００に送信する。
【００２３】
図３は特別図柄表示装置１００のブロック構成図である。特別図柄表示装置１００は、主制御部２００からのストローブ信号やコマンドを受信するためのデータ受信回路１１４０（データレベルを変換する電圧変換回路を含む）と、この電圧変換回路等に電源供給を行う電源回路１１６０と、受信したコマンドに基づいて表示制御を行うために必要な制御データを生成して画像処理用ＬＳＩ（ＶＤＰ）１０６０に出力するＣＰＵ１０２０と、ＣＰＵ１０２０の動作手順を記述したプログラムを内蔵するプログラムＲＯＭ１０４０と、ワークエリアやバッファメモリとして機能するＲＡＭ１０９０と、画像展開処理を行う画像処理用ＬＳＩ（ＶＤＰ）１０６０と、画像処理用ＬＳＩ（ＶＤＰ）１０６０が展開した画像データを一時的に記憶するビデオＲＡＭ１０８０と、画像処理用ＬＳＩ（ＶＤＰ）１０６０が画像展開するために必要なデータを格納したキャラクタＲＯＭ１１８０と、ビデオＲＡＭ１０８０に一時的に記憶された画像データを受け取って送出するＬＣＤパネル用インターフェイス回路１１００と、このＬＣＤパネル用インターフェイス回路１１００から送出された画像データを用いて表示画像を出力するＬＣＤパネル１１２０とを有して構成されている。
【００２４】
図４（ａ）に示すように、キャラクタＲＯＭ１１８０は、ＲＯＭタイトル領域、ＲＯＭ管理情報領域、実際のキャラクタデータを格納したキャラクタイメージデータ領域、キャラクタの色彩データを格納したパレットデータ領域、および、キャラクタの動きを定義した情報を格納したシナリオデータ領域を有している。また、キャラクタデータは特定圧縮方法で圧縮処理された状態でキャラクタイメージデータ領域に格納されており、さらに、図４（ｂ）に示すように、パレットデータ領域は色番号とカラーコードとが対となったものが複数種類格納されている。
【００２５】
そして、特別図柄表示装置１００のＣＰＵ１０２０は、データ受信回路１１４０が受信したコマンドに応じて生成した制御データを画像処理用ＬＳＩ（ＶＤＰ）１０６０に与えると、画像処理用ＬＳＩ（ＶＤＰ）１０６０は、キャラクタイメージデータ領域から獲得したキャラクタデータを解凍してパレットデータ領域から獲得した色彩データで色付けして、シナリオデータ領域から獲得した情報で指定されたビデオＲＡＭ１０８０上の位置に画像展開したデータを一時的に格納し、一時的に格納したデータをＬＣＤパネル用インターフェイス回路１１００に送ることによって、ＬＣＤパネル１１２０によって、変動表示速度変化等を含む様々な画像表示が細かに行われる。
【００２６】
また、図５はコマンド送受信タイミングを示したタイミングチャートである。前述したように、コマンドは１バイト長のモード（ＭＯＤＥ）と、同じく１バイト長のイベント（ＥＶＥＮＴ）から成っている。この例では、主制御部２００は、コマンド変化時に自身が生成するストローブ信号（ＤＵＳＴＢ）の１つ目の立ち上がりを契機としてモード（ＭＯＤＥ）情報を送信し、次いでストローブ信号（ＤＵＳＴＢ）の２つ目の立ち上がりを契機としてイベント（ＥＶＥＮＴ）情報を送信する。すると、これに対応して特別図柄表示装置のＣＰＵ１０２０は、ストローブ信号（ＤＵＳＴＢ）が送信されてくると割り込みを発生させ、この割り込み処理によってコマンドを受信してＲＡＭ１０９０に格納する。
【００２７】
次に、先ず、主制御部２００や特別図柄表示装置１００のＣＰＵ１０２０が行う通常の制御動作を図１０（遊技動作制御のゼネラルフローチャート）や図１１を参照して説明し、その後、本発明の特徴的な動作について説明して本発明の理解の容易化に努める。なお、図１０に示す一連の処理は主制御部２００がＲＯＭ２０１に格納されている図示しない遊技制御プログラムを実行することによって行われる。より具体的には、リセット回路２１３から所定時間（例えば４ｍｓｅｃ）毎に供給されるリセット信号をトリガとして先頭のステップから実行され、この一連の処理が繰り返し実行されるようになっている。
【００２８】
先ず、図示しない電源スイッチによって電源回路２１２を起動状態とすると主制御部２００が起動状態となるが、この電源投入が行われてから初めての処理が実行されたか否かを判定する（ステップＳ１１０）。電源投入後、初めての処理の場合には（Ｙｅｓ）ステップＳ２００に移行する一方、これ以外の場合には（Ｎｏ）ステップＳ１２０に移行する。
【００２９】
ステップＳ２００では、ＲＡＭ２０３の初期化処理として記憶エリアのクリア処理を実行し、次いで、ステップＳ２１０では、初期制御処理を行うためのデータをＲＡＭ２０３の所定の領域にセットする。一方、ステップＳ１２０では、ＲＡＭ２０３内に形成される図示しない、大当り判定用、小当り判定用等の各種の乱数生成用ループカウンタのカウント値をインクリメントし、ステップＳ１３０では、遊技機制御に用いる各種のタイマのタイマ値を更新する。
【００３０】
次に、ステップＳ１４０において、特別図柄始動スイッチ３０４、普通図柄作動スイッチ３０６、大入賞口スイッチ３０８が出力した検出信号を入力ポート２１０を介して図示しない自身内のレジスタに読み込み格納する入力ポート処理を実行し、次いで、ステップＳ１５０に移行してポート入力処理で読み込み格納したデータを把握するためのスイッチチェック処理を実行する。
【００３１】
次に、ステップＳ１６０にて各スイッチ３０４、３０６、３０８等の断線や短絡の有無のチェックを行い、これらの障害が発生している場合には（Ｙｅｓ）ステップＳ２２０に移行する一方、これ以外の場合には（Ｎｏ）ステップＳ１８０に移行する（ステップＳ１７０）。
【００３２】
そして、ステップＳ１８０において、普通図柄表示装置１０８の表示制御に必要なデータをＲＡＭ２０３の所定領域に格納すると共に、特別図柄表示装置１００の表示制御に必要なコマンド（先に図６乃至図９にて説明したコマンドを含む）をＲＡＭ２０３の所定領域に格納して、前記各種のタイマのタイマ値を減じる（ステップＳ１９０）。なお、ステップＳ１８０において、主制御部２００は遊技動作制御に応じて必要なモード、イベントのコマンドをコマンドデータテーブル領域２０２を参照して決定し、決定したモード、イベントを示すデジタル情報をＲＡＭ２０３の所定エリアに格納する。
【００３３】
次に、ステップＳ１９５において、大入賞口１０６と特別図柄始動口１０４の開閉部材１２０とを所定パターンで開閉制御するために、始動口作動ソレノイド３００と大入賞口作動ソレノイド３０２とを駆動制御し、次いで、ステップＳ２２０において、図示しない賞球払出装置に払出し動作を行わせるための制御情報を出力するための賞球セット処理を実行する。さらにステップＳ２３０、２４０、２５０において、図示しない遊技機管理装置に各種の遊技データを出力する外部情報処理、ランプ表示装置１１０、１１２を遊技状態に対応させて点灯制御するためのコマンドをＲＡＭ２０３の所定エリアに格納する表示灯制御処理、効果音発生装置１１６を遊技動作状態に対応させて効果音発生制御を行うためのコマンドをＲＡＭ２０３の所定エリアに格納する効果音処理を実行する。
【００３４】
次に、ステップＳ２６０では、各処理でＲＡＭ２０３に格納したデータを出力ポート２１５を介して対応する装置に出力し（ポート出力処理）、これを受け取った装置側はこれに基づいた制御動作を行う。そして、特別図柄表示装置１００に対して、先ずストローブ信号を出力し、ステップＳ１８０にてＲＡＭ２０３に格納されたモード、イベントのデータを先に図５に示したようにして送信する。これによって、特別図柄表示装置１００には例えば図６乃至図９にて示したコマンドが主制御部２００から送信され受信することになる。
【００３５】
ステップＳ２７０では、リセット回路２１３からリセット信号が入力されるまでリセット待機処理を実行すると共に、リセット信号が入力された場合にはステップＳ１１０に移行して遊技動作制御を継続する。なお、このリセット待機処理としては、先に述べた各種の乱数生成用のカウンタの更新等が挙げられる。
【００３６】
次に、コマンドを受け取った特別図柄表示装置１００のＣＰＵ１０２０の動作について、図１１を参照しつつ説明する。まず、ステップＳ１１００において、ＣＰＵ１０２０は自身のスタックポインタの設定、ＲＡＭ１０９０の初期化、レジスタクリア等の自身の初期化等を行いステップＳ１１０２において、新しいコマンドが入力されたか否かを判断する。新たな表示制御のためのコマンドが入力されたと判断された場合には（Ｙｅｓ）ステップＳ１１０４に移行する一方、これ以外の場合には（Ｎｏ）ステップＳ１１１０に移行する。
【００３７】
ステップＳ１１０４では、図５において説明した割り込み処理において、データ受信回路１１４０が受信したコマンドをＲＡＭ１０９０にコピーし、コマンドが正常か否かのチェック等を行う。次に、ＣＰＵ１０２０は、主制御部２００とは独立して細かな表示制御を行うための必要なコマンドを得るべく、処理テーブル（図示せず）の先頭アドレスを決定し、次いでステップＳ１１０８において、画像処理用ＬＳＩ１０６０へ出力するためにＲＡＭ１０９０の必要なエリアのデータを更新する。
【００３８】
次に、ステップＳ１１１０において、ＲＡＭ１０９０にセットされている図柄制御用データに基づいて、画像処理用ＬＳＩ１０６０へ出力するためのスクロールデータを求めてＲＡＭ１０９０にセットし、図柄表示位置を設定し、次いで、ステップＳ１１１２において、図柄速度制御に必要なデータを、プログラムＲＯＭ１０４０に内蔵されている速度テーブル（図示せず）から取得してＲＡＭ１０９０にセットし、次にステップＳ１１１４において、速度データに基づいて図柄オフセット値を更新し、設定された速度で図柄変動を行うための準備を行う。
【００３９】
次に、ステップＳ１１１６において、ＲＡＭ１０９０にセットされているアニメーション処理用データが格納されているアニメーション処理用テーブル（図示せず）からアニメーションデータを取得し背景画像表示のための準備を行い、ＲＡＭ１０９０内のＶＤＰ出力用バッファにセットし、出力許可フラグが「１」か否かを判断する（ステップＳ１１１８）。
【００４０】
そして、出力許可フラグが「１」でない場合（Ｎｏ）にはステップＳ１１０２に戻って一連の処理を繰り返す一方、出力許可フラグが「１」の場合（Ｙｅｓ）にはステップＳ１１２０にて、ＶＤＰ出力用バッファにセットされているデータを画像処理用ＬＳＩ１０６０に出力する。画像処理用ＬＳＩ１０６０はこれに応じてキャラクタＲＯＭ１１８０のデータを獲得して展開し、展開された画像データはビデオＲＡＭ１０８０に一時的に記憶された後、ＬＣＤパネル用インターフェイス回路１１００に送られＬＣＤパネル１１２０による画像表示が行われる。このようにして、特別図柄表示装置１００における設定された表示位置において設定された速度での図柄変動表示の表示等が行われる。
【００４１】
図１３、図１４はそれぞれ主制御部２００から特別図柄表示装置１００へ送信するコマンドの送信タイミングの一例、および、送信コマンドの説明図である。これらの図を参照すれば分かるように、主制御部２００は、特別図柄始動口１０４に遊技球が入賞した等の所定の条件が満足されると、先ず「図柄変動を開始させるとともに変動パターンを指定するためのコマンドを送信し（▲１▼）、これからＴ１時間経過後に左停止図柄を指定するためのコマンドを送信し（▲２▼）、これからＴ２時間経過後に中停止図柄を指定するためのコマンドを送信し（▲３▼）、これからＴ３時間経過後に右停止図柄を指定するためのコマンドを送信し（▲４▼）、そして、変動開始からＴ時間経過後に全図柄を停止させるためのコマンド（▲５▼）を送信する。
【００４２】
一方、第１のコマンド（▲１▼）を受信した特別図柄表示装置１００のＣＰＵ１０２０は、変動速度変化等の細かな表示制御を行って一連の変動表示制御を行い、第３のコマンド（▲５▼）の受信を契機として変動表示制御を終了させてから、受信した第２のコマンド（▲２▼、▲３▼、▲４▼）で指定された停止図柄での停止表示を行って特別図柄抽選結果を表示する。このようにＣＰＵ１０２０はＶＤＰ１０６０を駆動制御することによってＬＣＤパネル１１２０の表示画面上に所要の画像表示を行うように構成されている。
【００４３】
（本発明の特徴部）
図１５、図１６は本発明の実施形態の特徴部の構成や動作の説明図である。主制御部２００はＲＡＭ２０３をワークエリアとして用いながらＲＯＭ２０１に記録された不図示の動作プログラムを実行することによって以下の動作が実現されるようになっている。アウト球検出部１５３０は、図１のアウト口１１４から排出された遊技球即ち入賞しなかった遊技球を１個検出する度に検出信号を主制御部２００に送信するので、主制御部２００はこの検出信号を所定期間計数することによって所定期間におけるアウト球の総数を求めるようになっている。また、主制御部２００は、遊技者が見える位置に設けられたＬＥＤ１５４０、１５５０を点灯制御可能に構成されている。
【００４４】
主制御部２００は回転軸１５０１を備えるモータ１５００を駆動制御可能に構成されていて、しかも回転軸１５０１は時計方向および反時計方向の双方に回転可能に構成されている。回転軸１５０１を図１６の符号Ｂで示すように反時計方向に回転させると、回転軸１５０１に固定された平面視長方形状の可動片１６１０が符号Ｓ１に示す状態となる。可動片１６１０の状態がＳ１の場合には、大入賞口１０６が開放されて入賞された遊技球Ｐ１を図面左側下方の開口部１６００に案内するように構成されていてＶゾーン入賞検出部１５１０がこれを検出するようになっている。
【００４５】
Ｖゾーン入賞検出部１５１０は遊技球を１個検出する度に検出信号を主制御部２００に送信するように構成されているので、主制御部２００はこの検出信号を受信すると遊技球が特定領域（開口部１６００）を通過し継続条件が満たされたとして、次回も大入賞口作動ソレノイド３０２を駆動制御して大入賞口１０６を開放する。なお、この開放継続は例えば１５回等の最大数回まで継続可能である。
【００４６】
一方、Ｓ１の状態から回転軸１５０１が、符号Ａで示すように時計方向に回転されると、可動片１６１０は状態Ｓ２に示すようになる。可動片１６１０の状態がＳ２の場合には、大入賞口１０６が開放されて入賞された遊技球Ｐ２を図面右側下方の開口部１６０１に案内するように構成されていてカウントスイッチ部１５２０がこれを検出するようになっている。なお、状態Ｓ１で開口部１６００を通過した遊技球もカウントスイッチ部１５２０で検出されるように構成されている。
【００４７】
カウントスイッチ部１５２０は遊技球を１個検出する度に検出信号を主制御部２００に送信するように構成されている。そして、主制御部２００はこの検出信号を１０回計数するか又は大入賞口１０６を開放してから３０秒経過すると開放されている大入賞口１０６を閉じる。かくして主制御部２００は大入賞口１０６の開閉制御を行い、開放中に入賞された遊技球がＶゾーン入賞検出部１５１０によって検出された場合には継続条件が満たされたとして次回開放を行う。そして、各開放において大入賞口１０６に１０個の遊技球が入賞されるか又は開放から３０秒経過すると開放状態が閉止状態となる。
【００４８】
（動作例１）
図１７を参照して動作例１を説明する。今、大当りが生起されたとすると、大入賞口１０６を開放するがこれと同時またはこれより若干早くから、可動片１６１０をΔｔ１時間、状態Ｓ１とした後にΔｔ２時間状態Ｓ２とする状態切り替えを行う。そして状態Ｓ１の時にはＬＥＤ１５４０のみを点灯し状態Ｓ１にあることを通知し、一方、状態Ｓ２の時にはＬＥＤ１５５０のみを点灯し状態Ｓ２にあることを通知する。
【００４９】
この動作例１にあっては、Δｔ１とΔｔ２とは等しいので可動片１６１０は遊技球の入賞状態にかかわらず、一定間隔で状態切り替えが継続されることになる。
【００５０】
したがって、主制御部２００は、大入賞口１０６への遊技球の入賞状態にかかわらず（例えば、或るラウンドでの入賞数や大役ラウンド数等にかかわらず）、可動片１６１０が第１の状態Ｓ１と第２の状態Ｓ２とを常に一定間隔で切り替わるようにモータ（電気的駆動源）１５００を駆動制御するので、可動片１６１０の状態切り替えによって、大入賞口１０６の開放継続が行われるか否かというスリルを味わうことができるようになる。
【００５１】
（動作例２）
図１８を参照して動作例２を説明する。この動作例２では、主制御部２００は、アウト球の所定期間での総数が所定数よりも多くなっていることを検出し、且つ大当りが生起された場合に行われる。この条件が満足されると、可動片１６１０をΔｔ１時間、状態Ｓ１とした後にΔｔ２時間状態Ｓ２とする状態切り替えを行う。そして状態Ｓ１の時にはＬＥＤ１５４０のみを点灯し状態Ｓ１にあることを通知し、一方、状態Ｓ２の時にはＬＥＤ１５５０のみを点灯し状態Ｓ２にあることを通知する。
【００５２】
そして、この動作例２にあっては、Δｔ１がΔｔ２よりも長くなる、即ち、状態Ｓ１の期間が状態Ｓ２の期間よりも長くなるように可動片１６１０の状態切り替えが行われる。
【００５３】
したがって、主制御部２００は、所定時間のアウト球総数が所定値を超えた場合には、可動片１６１０が第１の状態Ｓ１となっている期間が第２の状態Ｓ２となっている期間よりも長くなるようにモータ１５００を駆動制御するので、今までのアウト球の多い遊技者即ち入賞の少なかった遊技者にとって特典を付与することができ遊技意欲が向上される。
【００５４】
また、ＬＥＤ１１５４０、ＬＥＤ１５５０の点灯によって可動片１６１０が第１の状態Ｓ１にあるか第２の状態Ｓ２にあるかを通知することができるので、可動片１６１０がいずれの状態であるのかを容易に把握できる。
【００５５】
以上本発明の実施の形態について説明したが、本発明の要旨を逸脱しない範囲内で上記実施形態に種々の変形や変更を施すことが可能となる。例えば、可動片１６１０の状態切り替えを行う機構や駆動源を変更すること、等が挙げられる。
【発明の効果】
以上説明してきたように、本発明によれば、可動部材の状態切り替えによって、大入賞口の開放継続が行われるか否かというスリルを味わうことができるようになるという効果が得られる。
【図面の簡単な説明】
【図１】遊技盤１０の模式的な説明図である。
【図２】遊技機の制御ブロック図である。
【図３】特別図柄表示装置１００のブロック構成図である。
【図４】キャラクタＲＯＭメモリマップ、パレットデータの説明図である。
【図５】コマンド送受信のタイミングを示すタイミングチャートである。
【図６】コマンドデータテーブル領域２０２に格納されるコマンドの説明図である。
【図７】コマンドデータテーブル領域２０２に格納されるコマンドの説明図である。
【図８】コマンドデータテーブル領域２０２に格納されるコマンドの説明図である。
【図９】コマンドデータテーブル領域２０２に格納されるコマンドの説明図である。
【図１０】遊技機の遊技制御動作を説明するためのゼネラルフローチャートである。
【図１１】特別図柄表示装置１００のＣＰＵ１０２０の制御動作を説明するためのフローチャートである。
【図１２】コマンドのデータ構造の説明図である。
【図１３】図柄表示のためのコマンド送信タイミングを示すタイミングチャートである。
【図１４】コマンド送信の説明図である。
【図１５】特徴部の構成図である。
【図１６】特徴部の動作や構成を説明する模式的説明図である。
【図１７】動作例１の説明図である。
【図１８】動作例２の説明図である。
【符号の説明】
１０　遊技盤
１００　特別図柄表示装置
１０２　普通図柄作動ゲート
１０４　特別図柄始動口
１０６　大入賞口
１１０　ランプ表示装置
１１２　ランプ表示装置
１１４　アウト口
１１６　効果音発生装置
１２０　開閉部材
２００　主制御部
２０１　ＲＯＭ
２０２　コマンドデータテーブル領域
２０３　ＲＡＭ
２１０　入力ポート
２１５　出力ポート
３０８　大入賞口スイッチ
１０２０　ＣＰＵ
１０４０　プログラムＲＯＭ
１０６０　画像処理用ＬＳＩ
１０８０　ビデオＲＡＭ
１０９０　ＲＡＭ
１１００　ＬＣＤパネル用インターフェイス回路
１１２０　ＬＣＤパネル
１１８０　キャラクタＲＯＭ
【図１】
2004008537.tif 000003
【図２】
2004008537.tif 000004
【図３】
2004008537.tif 000005
【図４】
2004008537.tif 000006
【図５】
2004008537.tif 000007
【図６】
2004008537.tif 000008
【図７】
2004008537.tif 000009
【図８】
2004008537.tif 000010
【図９】
2004008537.tif 000011
【図１０】
2004008537.tif 000012
【図１１】
2004008537.tif 000013
【図１２】
2004008537.tif 000014
【図１３】
2004008537.tif 000015
【図１４】
2004008537.tif 000016
【図１５】
2004008537.tif 000017
【図１６】
2004008537.tif 000018
【図１７】
2004008537.tif 000019
【図１８】
2004008537.tif 000020